(57)【特許請求の範囲】
【請求項１】
箱材の重なりを有さない一重構造の上下面が矩形状で、且つ偏平な六面体形状に形成された箱体と、該箱体の上面板に長辺と平行な折れ線部を形成し、該折れ線部と一方の長辺とで挟まれる前記上面板の一部分を前記折れ線部をヒンジとして開閉される蓋部とを備え、前記蓋部が前記箱体に前記折れ線部で接続されてなり、
前記箱体と蓋部が、平板状の表裏板とその間に狭設される断面波形状の波板（フルート）とを有する段ボール材からなり、
前記波板の溝となるフルート軸が前記折れ線部に対して平行であり、
前記下面板の短辺から起立された一対の短辺側の側板と、下面板の長辺から起立され前記蓋部が被せられることとなる長辺側の側板との隅部に切欠部を設けたことを特徴とするシート状感光材料のヒンジ形式包装箱。
【請求項２】
前記下面板の長辺から起立され前記蓋部が被せられることとなる長辺側の側板の上端を包装箱内側に折り返したことを特徴とする請求項１記載のシート状感光材料のヒンジ形式包装箱。
【請求項３】
前記折れ線部は、前記表裏板のいずれかが、前記フルート軸に沿う切り込みによって切り込まれることによりヒンジ構造を構成することを特徴とする請求項１又は請求項２記載のシート状感光材料のヒンジ形式包装箱。
【発明の詳細な説明】
【０００１】
【産業上の利用分野】
本発明は、医療用、工業用、製版用などに使用されるシート状感光材料のヒンジ形式包装箱に関する。
【０００２】
【従来の技術】
従来、シート状の感光材料（例えば、レントゲンフィルムなど）を包装する箱には、身・蓋嵌合形式、インロウ形式、ヒンジ形式などのものがある。
例えば、身・蓋嵌合形式のものは、図８に示すように、感光材料を収容する上面が開口した身部１と、この身部１の上面に嵌合される蓋部３とからなる。また、インロウ形式のものは、図９に示すように、外箱５の一側面に開口部７が形成され、この開口部７からインロウ部９が突出され、このインロウ部９に蓋部１１が嵌合されるようになっている。更に、ヒンジ形式のものとしては、例えば実公昭５７−５５１３４号公報に開示されるもので、図１０のように、外箱部１３の一側面に開口部１５が形成され、この開口部１５から内箱１７が挿入され係止手段１８ａ、１８ｂによって内箱１７と外箱部１３とが固定され、外箱部１３の蓋部１９によって開口部１５が開閉されるようになっている。
上記のような箱の材質としては、経済的な理由から主に段ボール材や紙を積層した板紙等の合紙が使用される場合が多い。
【０００３】
【発明が解決しようとする課題】
ここで、上述した図８に示すような身・蓋嵌合形式の包装箱では、感光材料を包装箱から取り出す際、蓋部３を身部１から完全に取り除かなければならず、作業スペースを必要とするため、特に大型の感光材料を使用する場合、このような作業スペースを確保することが困難な状況が発生することがある。
また、図９に示すようなインロウ形式の包装箱では、図中、二点鎖線で示すように、外箱５及びインロウ部９の開口縁部が撓み、嵌合時に隙間が生じて、遮光性が低下する虞れがあった。この問題は、大型のシート状感光材料を収容する包装箱の場合に特に顕著となる。更に、このようなインロウ形式の箱は、大型のシート状感光材料に適用すると蓋の長辺が非常に長くなるため、蓋の抜き差しで斜めになる事に対して許容範囲が狭くなり、通常は利用されない。
更に、図１０のようなヒンジ形式の包装箱では、外箱部１３の蓋部１９が開かれた場合、蓋部１９が開口部１５下側前方に位置するため、感光材料の引出しの障害となり、作業性を低下させている。
また、図９，図１０に示した、インロウ形式、ヒンジ形式の包装箱では、開口部７、１５が矩形箱の短辺側に形成されるため、感光材料を取り出す際の引出しストロークが長くなり、大型の感光材料では取り出しにくく、作業性を低下させるという問題がある。
【０００４】
本発明は上記状況に鑑みてなされたもので、感光材料の取り出しが容易となり、一定の強度を有するシート状感光材料のヒンジ形式包装箱を提供し、もって、取り出し作業性の向上、密閉信頼性の向上を図ることを目的とする。
【０００５】
上記目的を達成するための本発明に係るシート状感光材料のヒンジ形式包装箱の構成は、箱材の重なりを有さない一重構造の上下面が矩形状で、且つ偏平な六面体形状に形成された箱体と、該箱体の上面板に長辺と平行な折れ線部を形成し、該折れ線部と一方の長辺とで挟まれる前記上面板の一部分を前記折れ線部をヒンジとして開閉される蓋部とを備え、前記蓋部が前記箱体に前記折れ線部で接続されてなり、前記箱体と蓋部が、平板状の表裏板とその間に狭設される断面波形状の波板とを有する段ボール材からなり、前記波板の溝が前記折れ線部に対して平行であり、前記下面板の短辺から起立された一対の短辺側の側板と、下面板の長辺から起立され前記蓋部が被せられることとなる長辺側の側板との隅部に切欠部を設けることを特徴としている。
また、包装箱は、下面板の長辺から起立され前記蓋部が被せられることとなる長辺側の側板の上端を包装箱内側に折り返すものであってもよい。
さらに、前記折れ線部は、前記表裏板のいずれかが、前記フルート軸に沿う切り込みによって切り込まれることによりヒンジ構造を構成してもよい。
【０００６】
【作用】
収容された感光材料を取り出す際には、ヒンジによって蓋部が開かれ、つまり包装箱は上面板の長辺近傍のみの蓋部が開放され、感光材料の端部が把持可能に露出する。従って、蓋を別の場所に移動する必要もなく、作業スペースを最小限にすることができる。
また、段ボール材が所定の材料取り方向で用いられ、ヒンジ形式包装箱の強度が高められる。
また、下面板から起立した長辺側の側板が取り出し方向に倒れる構成によって、感光材料が端部を把持して引き出される際、感光材料取り出しの邪魔とならない。また、包装箱は長辺側が蓋部によって開かれるため、感光材料の引出しストロークが短いものとなる。
更に、この包装箱では、下面板から起立した長辺側の側板が二重に折り返される構成とすることで強度が高められ、移動・落下などの時にも包装箱が折れてしまうようなことは発生しない。
【０００７】
【実施例】
以下、本発明に係るシート状感光材料のヒンジ形式包装箱の好適な実施例を図面を参照して詳細に説明する。
図１は本発明によるヒンジ形式包装箱の斜視図、図２は閉鎖された蓋部近傍を示す断面斜視図、図３は折り曲げ線部分の拡大図、図４は感光材料取り出し時の説明図である。
【０００８】
本実施例によるヒンジ形式包装箱２１は、上下面が矩形状で、偏平な六面体形状で形成されている。ヒンジ形式包装箱２１の大きさとしては、少なくとも、Ａ２サイズ以上の大型のシート状感光材料が収納される大きさのものが好適となる。使用材料としては、例えば、樹脂等も利用可能であるが、特に段ボール材板紙等の合紙が好ましく、最も好ましくはＥ段ボール材が良い。この様な段ボール材は後述する材料取り方向で使用される。
【０００９】
ヒンジ形式包装箱２１の上面板２３には長辺２５と平行な折れ線部２７が形成され、この折れ線部２７と一方の長辺２５とで挟まれる上面板２３の一部分は、折れ線部２７をヒンジとして開閉される蓋部２９となっている。蓋部２９の長辺２５及び短辺３１にはそれぞれ側板３５、３７が垂設され、側板３５、３７は蓋部２９が閉められた際、ヒンジ形式包装箱２１の下面板３９から起立する側板４１、４３の外側に被せられる。
【００１０】
蓋部２９が被せられることとなる下面板３９から起立した短辺側の側板４１と、同じく下面板３９から起立した長辺側の側板４３とは、直交する隅部４５が切欠部４７によって分離されている。即ち、下面板３９から起立する長辺側の側板４３は、下面板３９との境となる長辺４９を回動軸に前方へ回動されるようになっている。
【００１１】
また、下面板３９の長辺から起立された側板４３は、上端４３ａが包装箱内側に折り返された二重構造となっている。
【００１２】
前述のように、ヒンジ形式包装箱２１は段ボール材から作られるが、この際、ヒンジ形式包装箱２１の強度を高めるため、段ボール材が所定の材料取り方向で用いられる。即ち、図３に示すように、段ボール材５１は、平板状の表裏板５３、５５と、その間に挟設される断面波形状の波板５７（フルート）とで構成されており、本実施例のヒンジ形式包装箱２１においては、波板５７の溝５９（フルート軸）が折れ線部２７と平行となるようにして段ボール材５１が用いられることになる。そして、折れ線部２７は、例えば、裏板５５が切り込み６１によって切り込まれることにより、表板５３と波板５７とによって効果的なヒンジ構造を構成することになる。
また、この構成において、例えばＡ２サイズに対して、表裏板５３、５５と波板５７との重量的な比率としては、
表板５３ｏｒ裏板５５：波板５７＝１７０〜２８０ｇ：１２０〜１２５ｇ
とするのが好ましい。
【００１３】
このように構成されるヒンジ形式包装箱２１では、図４に示すように、収容された感光材料６３を取り出す際、蓋部２９が開かれる。蓋部２９が開かれることにより、ヒンジ形式包装箱２１は上面板２３の長辺近傍が開放され、感光材料６３の端部が把持可能に露出される。感光材料６３は、端部を把持して引き出されることになる。この際、下面板３９から起立した長辺側の側板４３は、長辺４９を回動軸として取り出し方向に倒され、感光材料取り出しの邪魔とならない。
また、ヒンジ形式包装箱２１は、長辺側が蓋部２９によって開かれるため、感光材料６３の引出しストロークが短いものとなり、引出しが容易となる。
【００１４】
そして、このように構成されるヒンジ形式包装箱２１では、下面板３９から起立した長辺側の側板４３においては、端４３ａが包装箱内側に折り返された二重構造となっているとともに、段ボール材を使用したことも相まって、箱全体の強度が高められる。また、従来の身・蓋嵌合形式、インロウ形式、ヒンジ形式などに比べ、箱材の重なり部分が少なくなり、重量が軽量化されることになる。
【００１５】
上述のヒンジ形式包装箱２１によれば、折れ線部２７で回動される中折れ式の蓋部２９を長辺２５側に設けたので、感光材料６３の引出しストロークが短くて済み、感光材料６３の引出しが容易に行えるようになる。
また、下面板３９から起立した長辺側の側板４３が、長辺４９を回動軸として取り出し方向に倒されるので、感光材料取り出しの邪魔とならず、これによっても感光材料６３の引出しが容易となる。
そして、下面板３９から起立した長辺側の側板４３を二重に折り返したので、箱全体の強度が高めることができる。
更に、従来の身・蓋嵌合形式、インロウ形式、ヒンジ形式などに比べ、箱材の重なり部分が少なく構成できるので、ヒンジ形式包装箱２１全体の軽量化も達成することができる。
【００１６】
次に、本実施例に基づく包装箱と従来の包装箱とを用いて、発明者が行った圧縮強度試験、落下試験の実験結果を説明する。
図５は圧縮試験装置の概略構成図、図６は圧縮方向を示す説明図、図７は落下方向を示す説明図である。
【００１７】
先ず、圧縮試験は、次の条件により行った。
１．テスト機：  東洋精機製  圧縮強度試験機
図５に示すように、押圧板７１をネジロッド７３で下降させ、ストレインゲージ７５を介して試験体７７に荷重を加えるものである。
【００１８】
【表１】
0003655354.tif 000002
【００１９】
【表２】
0003655354.tif 000003
【００２０】
【表３】
0003655354.tif 000004
【００２１】
上記の試験結果より、「平置き」においては、従来の包装箱と本実施例のヒンジ形式包装箱とが略同等の強度を有し、「底辺のみ」と「立て置き」においては、本実施例のヒンジ形式包装箱が高い圧縮強度を有することが知見された。
【００２２】
また、落下試験は、次の条件により行った。
１．テスト機：  包装貨物落下試験機
【００２３】
【表４】
0003655354.tif 000005
【００２４】
【表５】
0003655354.tif 000006
【００２５】
【表６】
0003655354.tif 000007
【００２６】
上記の試験結果より、本実施例品は、落下強度において、従来品と差のないことが知見された。
【００２７】
【発明の効果】
以上詳細に説明したように、本発明に係るシート状感光材料のヒンジ形式包装箱によれば、中折れ式の蓋部を長辺側に設けたので、感光材料の引出しストロークが短くなり、引出しを容易に行うことができる。
また、段ボール材の波板の溝（フルート軸）がヒンジ形式包装箱の蓋部が接続される折れ線部と平行となるように用いられているので、ヒンジ形式包装箱の強度が高められる。
また、下面板から起立した長辺側の側板を取り出し方向へ倒せるようにしたので、感光材料取り出しの邪魔とならず、これによっても感光材料の引出しを容易に行うことができる。
更に、下面板から起立する長辺側の側板を二重に折り返したので、箱全体の強度を高めることもできる。
この結果、取り出し作業性の向上、密閉信頼性の向上を図ることができる。
【図面の簡単な説明】
【図１】本発明によるヒンジ形式包装箱の斜視図である。
【図２】閉鎖された蓋部近傍を示す断面斜視図である。
【図３】折り曲げ線部分の拡大図である。
【図４】感光材料取り出し時の説明図である。
【図５】圧縮試験装置の概略構成図である。
【図６】圧縮方向を示す説明図である。
【図７】落下方向を示す説明図である。
【図８】従来の身・蓋嵌合形式の包装箱を示す斜視図である。
【図９】従来のインロウ形式の包装箱を示す斜視図である。
【図１０】従来のヒンジ形式の包装箱を示す斜視図である。
【符号の説明】
２１  ヒンジ形式包装箱
２３  上面板
２７  折れ線部
２９  蓋部
３９  下面板
４１  短辺側の側板
４３  長辺側の側板
４５  隅部
４７  切欠部
【図１】
0003655354.tif 000008
【図２】
0003655354.tif 000009
【図３】
0003655354.tif 000010
【図４】
0003655354.tif 000011
【図５】
0003655354.tif 000012
【図６】
0003655354.tif 000013
【図７】
0003655354.tif 000014
【図８】
0003655354.tif 000015
【図９】
0003655354.tif 000016
【図１０】
0003655354.tif 000017